(57)【要約】【課題】扉枠側のストライクと扉側の錠本体との間の位置関係を示す正確な情報を得て、錠前を正常に施解錠する。【解決手段】扉枠２側には磁石３が設けられ、扉７側に備えた錠本体４内には磁石３に対向して磁気センサ５が設けられる。磁気センサ５は、扉７の開閉に伴う磁石３による磁界の大きさを検知する。磁気演算部６は、磁気センサ５が検知した磁界の大きさと、閉扉や錠前の施錠可能状態に応じて予め初期設定された設定磁界の大きさとを比較し、その大小比較結果に応じて閉扉状態や錠前の施錠可能状態を示す判別信号を主制御部９に出力する。主制御部９は、磁気演算部６からの判別信号によって扉枠のストライクと錠本体との位置関係を示す正確な情報を得て、外部から施解錠操作が正常に行われたとき、磁気演算部６からの現在の扉７及び錠前の状態を示す判別信号に基づいて錠前を施解錠制御する。【選択図】図１
2007198053.tif 000002
【特許請求の範囲】
【請求項１】
磁石と磁気センサとが扉枠側と扉側とに分かれて対向配置され、
前記磁気センサが検知した前記扉の開閉に伴う前記磁石の磁界の大きさと、閉扉や錠前の施錠可能状態に応じて予め初期設定された設定磁界の大きさとを比較し、その大小比較結果に応じて閉扉状態や錠前の施錠可能状態を示す判別信号を出力する磁気演算部を備えたことを特徴とする電気錠システム。
【請求項２】
外部から施解錠操作が行われたときに、前記磁気演算部からの判別信号に基づいて錠前を電気的に施解錠制御する主制御部を備えたことを特徴とする請求項１記載の電気錠システム。
【発明の詳細な説明】
【技術分野】
【０００１】
本発明は、例えばホテル客室、住宅玄関扉、各種施設の出入り口等に採用され、入出を許可する者に対して予め発行されたカードのカード情報やテンキー等からの入力情報（例えば暗証番号等）を照合して正当性を判別し、正常に認証したときのみ錠前を電気的に施解錠制御する電気錠システムに関し、特に扉枠側のストライクと扉側の錠本体との間の位置関係を示す情報を得ることができる電気錠システムに関するものである。
【背景技術】
【０００２】
近年、ホテルやオフィスビル等の商業施設や公共施設の入出口、集合住宅や一般住宅のエントランスや玄関等には電気錠システムが広く普及している。この電気錠システムでは、各所の電気錠毎に予め割り当てられた特定の暗号や施解錠情報等の各種データが記憶されたカード状記憶媒体を鍵カードとして用い、この鍵カードに記憶された各種データ（例えば特定の暗号による施解錠データ）を読み取り、読み取った各種データを予め登録された情報と照合して正当性を判別し、正常に認証した場合のみ、現在の扉の開閉状態や錠前の施解錠状態に応じて錠前を電気的に施解錠制御している。
【０００３】
ここで、図２（ａ），（ｂ）は従来の電気錠システムの概略構成を示している。図２（ａ），（ｂ）に示すように、この種の電気錠システム１１では、制御盤としての主制御部９によって錠前を電気的に施解錠制御する際に、扉枠２側のストライク２ａに埋設された磁石３と、この磁石３に対向して錠本体４内に設けられた近接スイッチをなすリードスイッチ１５とを使用して扉７の開閉信号を得ている。また、この磁石３とリードスイッチ１５は、錠前の施錠操作の可否判定信号を得る際にも用いられている。
【０００４】
そして、扉７の吊元側の室内側面には、例えば下記特許文献１や特許文献２に開示されるような従来より周知の通電金具が固定されており、この通電金具を介して上記リードスイッチ１５が主制御部９に対して接続コードで配線接続されている。
【特許文献１】特開２００５−１７１６２２号公報
【特許文献２】特開２００４−１３１９５４号公報
【発明の開示】
【発明が解決しようとする課題】
【０００５】
ところで、この種の電気錠システム１１において、錠前を施錠又は解錠するには扉枠２側のストライク２ａと扉７側の錠本体４との間の位置関係が重要な要素となっている。
【０００６】
しかしながら、図２に示す従来の電気錠システム１１のように、磁石３とリードスイッチ１５とを使用して錠前を施解錠する際のモニタ信号を得る構成では、リードスイッチ１５が作動するためのリードスイッチ１５と磁石３との距離範囲が限定されるという課題があった。
【０００７】
例えば、錠前が設置される場所によっては図２（ａ）に示す状態から図２（ｂ）に示す状態のように、磁石３とリードスイッチ１５との間の距離がＨ１からＨ２と広がってある程度距離が離れている場合がある。特に、磁石３とリードスイッチ１５との間の距離が離れている場合（図２（ｂ）の状態）には、磁石３の磁界によってリードスイッチ１５を作動させることができず、リードスイッチ１５がＯＮしなくなり、磁石３によるリードスイッチ１５の作動範囲が制限されるという問題があった。
【０００８】
また、図３（ａ）でデッドボルト（閂）８がストライク２ａ側の係止穴に係止して扉７が扉枠２で停止した状態を扉閉としてリードスイッチ１５がＯＮする場合、例えば図３（ｂ）に示すように、扉７を矢印方向に引っ張ると、デッドボルト（閂）８がストライク２ａ側の係止穴に係止したままで扉７は開かないが、磁石３の磁界がリードスイッチ１５の作動範囲から外れてリードスイッチ１５がＯＦＦする場合がある。そして、リードスイッチ１５からＯＦＦ信号がモニタ信号として主制御部９に入力すると、主制御部９は現在が扉閉にも関わらず、扉開と誤って判断してしまい、錠前を正常に施解錠できない場合があった。
【０００９】
このように、従来の電気錠システムでは、近接スイッチと磁石との距離範囲が限定されるだけでなく、モニタ信号を得るために必要不可欠な近接スイッチの出力がＯＮ／ＯＦＦによる２値的な情報であるため、近接スイッチがＯＮする前やＯＮした後の扉枠側のストライクと扉側の錠本体との間の位置関係の情報を正確に得ることができず、現在の扉や錠前の状態を誤って判断し、正常に錠前を施解錠することができないおそれがあった。
【００１０】
そこで、本発明は上記問題点に鑑みてなされたものであり、扉枠側のストライクと扉側の錠本体との間の位置関係を示す正確な情報を得ることができる電気錠システムを提供するとともに、さらにこの正確な情報をモニタ信号として利用することにより錠前を正常に施解錠制御することができる電気錠システムを提供することを目的とするものである。
【課題を解決するための手段】
【００１１】
上記した目的を達成するために、請求項１に記載された電気錠システムは、磁石と磁気センサとが扉枠側と扉側とに分かれて対向配置され、
前記磁気センサが検知した前記扉の開閉に伴う前記磁石の磁界の大きさと、閉扉や錠前の施錠可能状態に応じて予め初期設定された設定磁界の大きさとを比較し、その大小比較結果に応じて閉扉状態や錠前の施錠可能状態を示す判別信号を出力する磁気演算部を備えたことを特徴とする。
【００１２】
請求項２に記載された電気錠システムは、請求項１記載の電気錠システムにおいて、
外部から施解錠操作が行われたときに、前記磁気演算部からの判別信号に基づいて錠前を電気的に施解錠制御する主制御部とを備えたことを特徴とする。
【発明の効果】
【００１３】
本発明の電気錠システムによれば、扉枠側のストライクと扉側の錠本体との間の位置関係を示す正確な情報を得ることができる。そして、この正確な情報に基づいて正常に錠前を施解錠制御することができる。
【発明を実施するための最良の形態】
【００１４】
以下、本発明の最良の形態について、添付した図面を参照しながらそれぞれ説明する。図１（ａ），（ｂ）は本発明に係る電気錠システムの概略構成を示す図である。尚、図１（ａ）は扉枠側のストライクと扉側の錠本体との間の距離が小さい場合、同図（ｂ）は扉枠側のストライクと扉側の錠本体との間の距離が（ａ）に比べて大きい場合をそれぞれ示している。
【００１５】
本発明の電気錠システムは、例えばホテル客室、住宅玄関扉、各種施設の出入り口等に採用され、例えばホール素子や磁気抵抗素子等の磁気センサの信号の処理結果に基づいて扉枠側のストライクと扉側の錠本体との間の位置関係を示す正確な情報を得ている。
【００１６】
図１に示すように、本例の電気錠システム１では、扉７が開閉自在に取り付けられる扉枠２側のストライク２ａに磁石３が設けられる。また、扉７側の錠本体４内には、磁気センサ５が設けられる。磁石３と磁気センサ５とは、扉７が閉じた状態で対向して配置される。
【００１７】
磁気センサ５は、例えばホール素子や磁気抵抗素子等で構成され、磁石３の磁界の大きさを検知している。この磁気センサ５は、接続コード及び周知の通電金具（不図示）を介して磁気演算部６に接続され、図１（ａ），（ｂ）に示すように、ストライク２ａに設けられた磁石３との間の端面間の距離Ｈ１，Ｈ２に応じた磁界の大きさを示す検知信号を常時磁気演算部６に入力している。
【００１８】
磁気演算部６は、磁界比較手段６ａ、判別手段６ｂを備えている。磁界比較手段６ａは、磁気センサ５からの検知信号による磁界の大きさ（測定値）と、予め初期設定された設定磁界の大きさ（設定値）とを常時比較し、その大小結果に応じた比較信号を判別手段６ｂに出力している。
【００１９】
尚、磁気センサ５による磁界の大きさ（測定値）と比較するべく初期設定される設定磁界（設定値）は、不図示の磁界計測用治具をストライク２ａ（扉枠２）又は扉７又は錠本体４あるいはそれぞれに取り付け、デッドボルト（閂）８を出した状態で扉７を動かして磁界を測定し、この測定結果に基づく閉扉状態や施錠可能状態に応じた最適値に設定される。
【００２０】
判別手段６ｂは、磁界比較手段６ａからの比較信号に基づいて現在の扉７の状態が閉扉状態か否か、現在の錠前が施錠可能状態か否かなどを判別しており、その判別信号をモニタ信号として主制御部９に出力している。
【００２１】
主制御部９は、磁気演算部６の判別手段６ｂからの判別信号（モニタ信号）によって扉枠２側のストライク２ａと扉７側の錠本体４との間の位置関係を示す正確な情報を得ている。そして、主制御部９は、外部から解錠（又は施錠）操作されたときに、その操作の正当性を判別し、正常と判別した場合のみ、判別手段６ｂからの判別信号（モニタ信号）に基づく現在の状態に応じて錠前を電気的に施解錠制御している。
【００２２】
例えば各所の電気錠毎に予め割り当てられた特定の暗号や施解錠情報等の各種データが記憶されたカード状記憶媒体を鍵カードとして用いた場合、主制御部９は、この鍵カードに記憶された各種データ（例えば特定の暗号による施解錠データ）を取得し、取得した各種データを予め登録された情報と照合して正当性を判別し、正常に認証した場合のみ、判別手段６ｂからの判別信号に基づく現在の扉７の開閉状態や錠前の施解錠状態に応じて錠前を電気的に施解錠制御している。
【００２３】
尚、オートロックシステムの場合、主制御部９は、外部からの施錠操作として錠前の解錠後に扉７が閉まると、判別手段６ｂからの判別信号に基づく現在の扉７の開閉状態や錠前の施解錠状態に応じて錠前を電気的に施錠制御している。
【００２４】
また、主制御部９は、上記錠前の施解錠制御の他、磁気演算部６からの判別信号に基づく錠前の制御前後における扉７の開閉状態や錠前の施解錠状態に基づき、例えばアラーム音や警告を示す表示等の警報出力を行っている。
【００２５】
次に、上記構成による電気錠システム１の動作について説明する。本例の電気錠システム１では、運用前に、デッドボルト（閂）８が出た状態、その他の状態で扉７を動かして磁界を予め測定し、閉扉状態や施錠可能状態などに応じた磁界の測定値を初期の設定磁界（設定値）としている。
【００２６】
尚、上記設定磁界は、電気錠システム１の運用時に、スケジュール化して磁気センサ５による磁界の測定を行い、扉７の開閉や錠前の施解錠を判断するのに最適な磁界の大きさに調整して決定して設定するようにしても良い。
【００２７】
上記設定磁界の設定後における実際の運用では、磁気センサ５が検知した磁界の大きさ（測定値）と、初期設定された設定磁界の大きさ（設定値）との大小比較を磁気演算部６が行う。そして、磁気演算部６は、その比較結果に基づいて扉７が開いた状態か、扉７が閉じた状態かを常時判別し、その判別結果を判別信号（モニタ信号）として主制御部９に送る。
【００２８】
同様に、磁気演算部６は、磁気センサ５が検知した磁界の大きさ（測定値）と、初期設定された設定磁界の大きさ（設定値）との大小比較を行い、その比較結果に基づいて錠前が施錠可能か否かを常時判別し、その判別結果を判別信号（モニタ信号）として主制御部９に送る。
【００２９】
さらに、磁気演算部６は、磁気センサ５が検知した磁界の大きさ（測定値）と、初期設定された設定磁界の大きさ（設定値）との大小比較を行い、その比較結果に基づいて検知した磁界の値が初期の設定磁界の値から許容範囲（設定磁界の値とともに予め設定される磁界の範囲）以上ずれている場合にも、その判別信号（モニタ信号）を主制御部９に送る。
【００３０】
主制御部９は、外部から例えば鍵カードや暗証入力等によって解錠操作が行われた場合、鍵カードの情報や暗証情報を取得してその正当性を判別し、正常に認証したときのみ、磁気演算部６から現在が閉扉状態で解錠可能状態を示す判別信号がモニタ信号として入力されると、例えば不図示の駆動機構を介してデッドボルト８をストライク２ａの係合穴から退避させることにより錠前を電気的に解錠制御する。
【００３１】
これに対し、例えばオートロックシステムにより錠前の解錠後に扉７が閉じられた場合には、磁気演算部６から現在が閉扉状態で施錠可能状態を示す判別信号がモニタ信号として入力されると、例えば不図示の駆動機構を介してデッドボルト８をストライク２ａの係合穴に進入させることにより錠前を電気的に施錠制御する。
【００３２】
尚、外部から例えば鍵カードや暗証入力等によって施錠操作が行われる場合には、錠前の解錠時と同様に、鍵カードの情報や暗証情報を取得してその正当性を判別し、正常に認証したときのみ、磁気演算部６から現在が閉扉状態で施錠可能状態を示す判別信号がモニタ信号として入力されると、錠前を電気的に施錠制御する。
【００３３】
また、主制御部６は、磁気演算部６から磁界の測定値が設定磁界の値から許容範囲以上ずれている旨の判別信号がモニタ信号として入力されると、磁界の測定値が異常と判断し、例えばアラーム音や警告を示す表示等の警報を出力する。
【００３４】
このように、本例の電気錠システム１では、例えばホール素子や磁気抵抗素子等の磁気センサ５を用いて扉７の開閉に伴う磁石３による磁界の大きさ（測定値）と初期設定された設定磁界の大きさ（設定値）とを比較して大小判別するので、扉枠２側のストライク２ａと扉７側の錠本体４との間の位置関係を示す正確な情報を得ることができる。
【００３５】
そして、例えば図１（ｂ）に示すような扉枠２側のストライク２ａと扉７側の錠本体４との間が最大距離の状態での閉扉時に合わせて初期設定を行っておけば、図２や図３の何れの場合でも扉を閉と認識することができる。しかも、従来のような磁石３の磁界によるＯＮ／ＯＦＦではなく、磁石３による磁力の大きさを磁気センサ５が測定するので、閉扉状態と施解錠可能な状態とが別々に判別可能となる。
【００３６】
また、上記のようにして得られる正確な情報を、錠前を施解錠するために必要な現在の扉７及び錠前の状態を示すモニタ信号として利用すれば、従来に比べてモニタ信号の精度が向上し、現在の扉や錠前の状態を誤って判断することなく、錠前を正常に施解錠制御することができる。
【００３７】
ところで、本例では、磁気演算部６を主制御部９とは別構成として説明したが、磁気センサ５からの検知信号（測定値）を主制御部９に入力させ、磁気演算部６の機能を主制御部９に持たせて処理する構成としても良い。
【００３８】
また、図１の例では、磁石３がストライク２ａ内に設けられた構成であるが、錠本体４内の磁気センサ５と対向して磁石３を扉枠２の所定箇所に設けても良い。さらに、図１の例では、磁石３が扉枠２側のストライク２ａ内に設けられ、磁気センサ５が扉７側の錠本体４内に磁石３に対向して設けられる構成としたが、これらを逆転した構成としても良い。即ち、磁石３を扉７側の錠本体４内に設け、磁気センサ５を扉枠２側のストライク２ａ内に磁石３と対向して設けても良い。
【００３９】
さらに、磁石３と磁気センサ５の配置としては、例えば磁石３をストライク２ａ以外の扉枠２の所定箇所に設け、磁気センサ５を錠本体４以外の扉７の所定箇所に磁石３と対向して設けることもできる。また、磁石３を錠本体４以外の扉７の所定箇所に設け、磁気センサ５をストライク２ａ以外の扉枠２の所定箇所に磁石３と対向して設けることもできる。
【００４０】
さらに、図示の例では、磁石３と磁気センサ５とを１つずつ備えた構成であるが、磁石３と磁気センサ５とを対にして１組とし、複数組の磁石３と磁気センサ５とを扉７の高さ方向に沿って扉枠２側と扉７側とに分けて対向配置する構成としても良い。この場合、各磁気センサ５毎に設定磁界を設定しておき、磁気演算部６が各磁気センサ５の測定値と設定磁界とを比較し、その比較結果に基づく判別信号によって主制御部９が現在の扉７及び錠前の状態を判別する。
【００４１】
即ち、本例の電気錠システム１において、磁石３と磁気センサ５とは、扉枠２側と扉７側とに分かれて対向配置され、少なくとも１組備えた構成であれば良い。
【図面の簡単な説明】
【００４２】
【図１】（ａ），（ｂ）  本発明に係る電気錠システムの概略構成を示す図である。
【図２】（ａ），（ｂ）  従来の電気錠システムの概略構成を示す図である。
【図３】（ａ），（ｂ）  従来の電気錠システムによる課題を説明するための概略図である。
【符号の説明】
【００４３】
１，１１  電気錠システム
２  扉枠
２ａ  ストライク
３  磁石
４  錠本体
５  磁気センサ
６  磁気演算部
６ａ  磁界比較手段
６ｂ  判別手段
７  扉
８  デッドボルト（閂）
９  主制御部
１５  リードスイッチ（近接スイッチ）
【図１】
2007198053.tif 000003
【図２】
2007198053.tif 000004
【図３】
2007198053.tif 000005